(57)【要約】【課題】被介護者の洗浄作業、及び、温水、排水、排泄物の処理などが容易であり、介護作業者の作業を軽減すること。【解決手段】介護用温水洗浄装置は、装置本体１と、装置本体から延在した温水チューブ２と吸引ホース３との先端部に着脱自在に装着されるヘッドＨａ，Ｈｂ，Ｈｃ，Ｈｄとからなる。Ｈａは、ボディ用シャワーヘッドであり、Ｈｂは、頭髪用シャワーヘッドであり、Ｈｃは、採尿・洗浄用カップ型ヘッドであり、Ｈｄは、糞尿排出・洗浄用カップ型ヘッドである。【選択図】図１
0003130483.tif 000002
【実用新案登録請求の範囲】
【請求項１】
被介護者を洗浄すると共に、排泄物の処理をするための介護用温水洗浄装置であって、
温水を貯留することができると共に、排泄物を貯留することができ、温水を噴出する噴出器、及び、洗浄後の排水や被介護者の排泄物を空気と共に吸引する吸引器を有する装置本体と、
当該装置本体の噴出器と吸引器とからそれぞれ延在した温水チューブと吸引ホースとの先端部に着脱自在に装着されるヘッドと、
を具備することを特徴とする介護用温水洗浄装置。
【請求項２】
前記ヘッドは、被介護者の体に温水を噴出して洗浄すると共に、洗浄後の排水を空気と共に吸引するボディ用シャワーヘッドであることを特徴とする請求項１に記載の介護用温水洗浄装置。
【請求項３】
前記ヘッドは、被介護者の頭部に温水を噴出して洗浄すると共に、洗浄後の排水を空気と共に吸引する頭髪用シャワーヘッドであることを特徴とする請求項１に記載の介護用温水洗浄装置。
【請求項４】
前記ヘッドは、被介護者の尿を空気と共に吸引して採尿すると共に、被介護者の性器に温水を噴出して洗浄する採尿・洗浄用カップ型ヘッドであることを特徴とする請求項１に記載の介護用温水洗浄装置。
【請求項５】
前記ヘッドは、被介護者の糞尿を空気と共に吸引して糞尿を排出すると共に、被介護者の性器や肛門に温水を噴出して洗浄する糞尿排出・洗浄用カップ型ヘッドであることを特徴とする請求項１に記載の介護用温水洗浄装置。
【考案の詳細な説明】
【技術分野】
【０００１】
本考案は、被介護者を洗浄すると共に、排泄物の処理をするための介護用温水洗浄装置に関する。
【背景技術】
【０００２】
介護施設等に於いては、ベッド等に横臥した被介護者の体を洗浄する、下腹部を洗浄する、床ずれ等を洗浄する、頭髪を洗浄する、採尿して洗浄する、糞尿を排出して洗浄するといった介護作業が介護作業者によって行われている。
【考案の開示】
【考案が解決しようとする課題】
【０００３】
しかしながら、介護作業者にとっては、洗浄作業が煩雑であると共に、洗浄するための温水、洗浄後の排水、排泄物の処理などが困難であり、介護作業者の作業を軽減したいといった要望がある。
【０００４】
本考案は、上述したような事情に鑑みてなされたものであって、被介護者の洗浄作業、及び、温水、排水、排泄物の処理などが容易であり、介護作業者の作業を軽減することができる、介護用温水洗浄装置を提供することを目的とする。
【課題を解決するための手段】
【０００５】
上記の目的を達成するため、本考案に係る介護用温水洗浄装置は、被介護者を洗浄すると共に、排泄物の処理をするための介護用温水洗浄装置であって、
温水を貯留することができると共に、排泄物を貯留することができ、温水を噴出する噴出器、及び、洗浄後の排水や被介護者の排泄物を空気と共に吸引する吸引器を有する装置本体と、
当該装置本体の噴出器と吸引器とからそれぞれ延在した温水チューブと吸引ホースとの先端部に着脱自在に装着されるヘッドと、
を具備することを特徴とする。
【０００６】
好適には、前記ヘッドは、被介護者の体に温水を噴出して洗浄すると共に、洗浄後の排水を空気と共に吸引するボディ用シャワーヘッドである。また、好適には、前記ヘッドは、被介護者の頭部に温水を噴出して洗浄すると共に、洗浄後の排水を空気と共に吸引する頭髪用シャワーヘッドである。さらに、好適には、前記ヘッドは、被介護者の尿を空気と共に吸引して採尿すると共に、被介護者の性器に温水を噴出して洗浄する採尿・洗浄用カップ型ヘッドである。さらに、好適には、前記ヘッドは、被介護者の糞尿を空気と共に吸引して糞尿を排出すると共に、被介護者の性器や肛門に温水を噴出して洗浄する糞尿排出・洗浄用カップ型ヘッドである。
【考案の効果】
【０００７】
本考案によれば、被介護者の洗浄作業、及び、温水、排水、排泄物の処理などが容易であり、介護作業者の作業を軽減することができる。
【考案を実施するための最良の形態】
【０００８】
以下、本考案の実施の形態に係る介護用温水洗浄装置を図面を参照しつつ説明する。
（介護用温水洗浄装置の全体構成）
図１は、本考案の実施の形態に係る介護用温水洗浄装置の分解斜視図である。
介護用温水洗浄装置は、大略的には、装置本体１と、装置本体から延在した温水チューブ２と吸引ホース３との先端部に着脱自在に装着されるヘッドＨａ，Ｈｂ，Ｈｃ，Ｈｄとからなる。
【０００９】
装置本体１には、温水を貯留する温水タンク（図示略）が設けてあり、この温水タンクには、ゴミ受け１１を介して外部から介護作業者が水又は温水を注ぐようになっており、水の場合には、所定温度まで加熱して温水にすることができる。装置本体１内には、温水を温水チューブ２を介してヘッドＨａ〜Ｈｄから噴出する噴出器（図示略）が設けてある。符号１２は、給水キャップである。
【００１０】
装置本体１には、洗浄後の排水や排泄物を貯留するための汚水タンク１３が装着できる。符号１４は、汚水タンク蓋であり、符号１５は、ゴムパッキンである。
【００１１】
装置本体１の上方には、ヘッドＨａ〜Ｈｄから吸引ホース３を介して汚水タンク１３に洗浄後の排水や排泄物を吸引するセパレータ１６が設けてある。セパレータ１６は、図示しない吸引器（ターボファンユニット）からの吸引力によって空気と共に排泄物をも吸引し、遠心分離により排泄物を分離して汚水タンク１３に戻す。なお、セパレータ１６は、吸引した空気は吸引器に向けて送り出す。
なお、符号１７は、本体カバーであり、符号１８は、キャリングベルトである。
【００１２】
温水チューブ２と吸引ホース３は、クリップ２１により適宜箇所で連結してある。温水チューブ２の両端部には、コネクタ２２，２３が設けてあり、コネクタ２２は、ヘッドＨａ〜Ｈｄのコネクタに連結され、コネクタ２３は、装置本体１の温水プラグ１９に連結される。
【００１３】
吸引ホース３の両端部には、ヘッドジョイント２４とタンクジョイント２５とが設けてあり、ヘッドジョイント２４は、各ヘッドＨａ〜Ｈｄに連結可能であり、タンクジョイント２５は、汚水タンク１３に連結可能である。
【００１４】
（ボディ用シャワーヘッドの構成）
図２（ａ）（ｂ）は、本考案の実施の形態に係るボディ用シャワーヘッドの断面図であり、（ａ）は、該ヘッドを肌に押し当てる前の状態を示し、（ｂ）は、該ヘッドが肌に押し当てられている状態を示す。
【００１５】
ボディ用シャワーヘッドＨａには、温水チューブ２からの温水を流す流路３１が形成してあり、その先端に、噴出ノズル３２が形成してある。
ボディ用シャワーヘッドＨａには、洗浄後の排水や空気を吸引する排出路３３が形成してあり、吸引ホース３に連通してある。
【００１６】
また、噴出ノズル３２を開閉する開閉シャッター３４が設けてある。開閉シャッター３４は、ボディ用シャワーヘッドＨａが肌に押し当てられると、図２（ｂ）に示すように、排出路３３内の圧力が低下し、開閉シャッター３４が自動的に噴出ノズル３２を開成して、噴出ノズル３２から温水を噴出するようになっている。
【００１７】
一方、ボディ用シャワーヘッドＨａを肌から離すと、図２（ａ）に示すように、排出路３３内の圧力が上昇し、開閉シャッター３４が噴出ノズル３２を閉成するようになっている。
【００１８】
また、開閉シャッター３４の外側には、開閉用のボタン３５が設けてあり、このボタンを３５を介護作業者が押圧すると、図２（ｂ）に示すように、開閉シャッター３４が噴出ノズル３２を開成して温水を噴出する一方、ボタン３５を離すと、図２（ａ）に示すように、開閉シャッター３４が閉成するようにもなっている。
【００１９】
したがって、ボディ用シャワーヘッドＨａでは、ボディ用シャワーヘッドＨａが肌に押し当てられると、図２（ｂ）に示すように、開閉シャッター３４が噴出ノズル３２を開成して温水を噴出する。これにより、被介護者の体を洗浄することができる。ヘッドＨａが肌に当たっている時だけ、温水シャワーが噴出して洗浄することができる。
【００２０】
この時、同時に、洗浄後の排水は、空気と共に排出路３３や吸引ホース３を介して吸引され、汚水タンク１３に貯留される。そのため、ベッド上でシーツを濡らすことなく温水シャワーをすることができる。なお、このボディ用シャワーヘッドＨａを利用して、下腹部を洗浄する、床ずれ等を洗浄するといった介護作業をすることができる。
【００２１】
（頭髪用シャワーヘッドの構成）
図３（ａ）（ｂ）は、本考案の実施の形態に係る頭髪用シャワーヘッドの断面図であり、（ａ）は、該ヘッドを頭部に押し当てる前の状態を示し、（ｂ）は、該ヘッドが頭部に押し当てられている状態を示す。
【００２２】
頭髪用シャワーヘッドＨｂには、温水チューブ２からの温水を流す流路４１が形成してあり、その先端に、噴出ノズル４２が形成してある。
【００２３】
頭髪用シャワーヘッドＨｂには、洗浄後の排水や空気を吸引する排出路４３が形成してあり、吸引ホース３に連通してある。
【００２４】
また、頭髪用シャワーヘッドＨｂの先端部には、筒状のヘッドトップ４４が摺動自在に設けてある。
頭髪用シャワーヘッドＨｂが肌に押し当てられると、図３（ｂ）に示すように、ヘッドトップ４４が持ち上げられ、噴出ノズル４２から温水がヘッドトップ４４の外側に噴出する。
【００２５】
これにより、温水シャワーが噴出されてシャンプーの泡と共に頭髪の汚れが洗浄され、洗浄後の排水は、空気と共に排出路４３や吸引ホース３を介して吸引され、汚水タンク１３に貯留される。
一方、頭髪用シャワーヘッドＨｂを肌から離すと、図３（ａ）に示すように、ヘッドトップ４４が押し下げられ、噴出ノズル４２から噴出された温水は、排出路４３の吸引力によって排出路４３に吸引される。そのため、ヘッドトップ４４が押し下げられている時には、温水シャワーが外部に噴き出ることがない。
【００２６】
（採尿・洗浄用カップ型ヘッドの構成）
図４（ａ）（ｂ）（ｃ）（ｄ）は、本考案の実施の形態に係る採尿・洗浄用カップ型ヘッドの断面図であり、（ａ）は、尿の吸引を開始した状態を示し、（ｂ）は、洗浄スイッチがＯＮされた後で開閉シャッターが未だ閉成した状態を示し、（ｃ）は、温水シャワーが噴出している状態を示し、（ｄ）は、温水シャワーによる洗浄後の状態を示す。
採尿・洗浄用カップ型ヘッＨｃには、温水チューブ２からの温水を流す流路５１が形成してあり、その先端に、噴出ノズル５２が形成してある。
【００２７】
採尿・洗浄用カップ型ヘッＨｃは、性器を囲うような比較的大きなカップ形状であり、その内部には、尿を流すと共に温水シャワーを噴出する大きな空間部５３を有している。空間部５３は、吸引ホース３に連通してある。
【００２８】
また、噴出ノズル５２を開閉する開閉シャッター５４が設けてある。開閉シャッター５４は、図示しない洗浄スイッチがＯＮされた後、その数秒後に、その上部のボタン５５が押し下げられると、噴出ノズル５２を開成する一方、ボタン５５を離して上方に移動すると、噴出ノズル５２を閉成するようになっている。
【００２９】
なお、採尿・洗浄用カップ型ヘッＨｃの上部には、空気取入用の孔５６が形成してある。
したがって、図４（ａ）に示すように、被介護者が放尿すると、被介護者の尿は、空気と共に吸引して採尿され、汚水タンク１３に貯留される。
【００３０】
図４（ｂ）に示すように、図示しない洗浄スイッチがＯＮされ、その数秒後に、図４（ｃ）に示すように、被介護者又は介護作業者がボタン５５を押し下げると、噴出ノズル５２が開成され、被介護者の性器に温水シャワーが噴出されて洗浄される。洗浄後の排水は、図４（ｄ）にも示すように、空気と共に吸引して汚水タンク１３に貯留される。
【００３１】
（糞尿排出・洗浄用カップ型ヘッドの構成）
図５（ａ）は、本考案の実施の形態に係る女性用の糞尿排出・洗浄用カップ型ヘッドの断面図であり、（ｂ）は、該女性用のヘッドの形状を示す図である。
図６（ａ）は、本考案の実施の形態に係る男性用の糞尿排出・洗浄用カップ型ヘッドの断面図であり、（ｂ）は、該男性用のヘッドの形状を示す図である。
【００３２】
糞尿排出・洗浄用カップ型ヘッドＨｄには、女性用・男性用、それぞれ、性器と肛門に向けてそれぞれ温水シャワーを噴出する噴出ノズル６１，６２が形成してあり、温水チューブ２に連通してある。
【００３３】
糞尿排出・洗浄用カップ型ヘッドＨｄは、性器と肛門を囲うような比較的大きなカップ形状であり、その内部には、糞尿を流すと共に温水シャワーを噴出する大きな空間部６３を有している。空間部６３は、男性用では、女性用に比べて、前側に膨出してあると共に、吸引ホース３に連通してある。
【００３４】
したがって、被介護者が糞尿をすると、被介護者の糞尿は、空気と共に吸引して排出され、汚水タンク１３に貯留される。
【００３５】
図示しない洗浄スイッチがＯＮされると、噴出ノズル６２が開成され、被介護者の性器と肛門に温水シャワーが噴出されて洗浄される。洗浄後の排水は、空気と共に吸引して汚水タンク１３に貯留される。
なお、本考案は、上述した実施の形態に限定されず、種々変形可能である。
例えば、図６（ｅ）に示すように、温水チューブ２の両側に吸引ホースの口３ａ，３ｂを備えても良い。
【図面の簡単な説明】
【００３６】
【図１】本考案の実施の形態に係る介護用温水洗浄装置の分解斜視図である。
【図２】（ａ）（ｂ）は、本考案の実施の形態に係るボディ用シャワーヘッドの断面図であり、（ａ）は、該ヘッドを肌に押し当てる前の状態を示し、（ｂ）は、該ヘッドが肌に押し当てられている状態を示す。
【図３】（ａ）（ｂ）は、本考案の実施の形態に係る頭髪用シャワーヘッドの断面図であり、（ａ）は、該ヘッドを頭部に押し当てる前の状態を示し、（ｂ）は、該ヘッドが頭部に押し当てられている状態を示す。
【図４】（ａ）（ｂ）（ｃ）（ｄ）は、本考案の実施の形態に係る採尿・洗浄用カップ型ヘッドの断面図であり、（ａ）は、尿の吸引を開始した状態を示し、（ｂ）は、洗浄スイッチがＯＮされた後で開閉シャッターが未だ閉成した状態を示し、（ｃ）は、温水シャワーが噴出している状態を示し、（ｄ）は、温水シャワーによる洗浄後の状態を示す。
【図５】（ａ）（ｂ）は、本考案の実施の形態に係る女性用の糞尿排出・洗浄用カップ型ヘッドの断面図であり、（ｂ）は、該女性用のヘッドの形状を示す図である。
【図６】（ａ）（ｂ）は、本考案の実施の形態に係る男性用の糞尿排出・洗浄用カップ型ヘッドの断面図であり、（ｂ）は、該男性用のヘッドの形状を示す図であり、（ｃ）は変形例である。
【符合の説明】
【００３７】
１  装置本体
２  温水チューブ
３  吸引ホース
１６  吸引器
Ｈａ  ボディ用シャワーヘッド
Ｈｂ  頭髪用シャワーヘッド
Ｈｃ  採尿・洗浄用カップ型ヘッド
Ｈｄ  糞尿排出・洗浄用カップ型ヘッド
【図１】
0003130483.tif 000003
【図２】
0003130483.tif 000004
【図３】
0003130483.tif 000005
【図４】
0003130483.tif 000006
【図５】
0003130483.tif 000007
【図６】
0003130483.tif 000008